(57)【要約】【課題】傾斜計を構成する角度センサ自体は、ほぼ同一の内部構造であるにもかかわらず、傾斜計の取り付け方向に応じて、傾斜計または取付金具等の製品の種類を増やすことはコストアップにつながる。【解決手段】被測定物に取り付けられて当該被測定物の傾斜角度を測定する傾斜計（１），（２），（１０），（１３）であって、水平面で直交する二次元の座標軸（Ｘ），（Ｙ）に重力方向の座標軸（Ｚ）を加えた三次元の空間において、第１の垂直面に含まれる二次元の座標軸（Ｘ），（Ｚ）を基軸と定めた傾斜（α）方向を計測可能な第１の配置（ｘｚ）と、前記第１の垂直面と直交する第２の垂直面に含まれる二次元の座標軸（Ｙ），（Ｚ）を基軸と定めた傾斜（β）方向を計測可能な第２の配置（ｙｚ）と、を安定させる安定化手段を備えた。【選択図】    図２
2004279383.tif 000002
【特許請求の範囲】
【請求項１】
被測定物に取り付けられて当該被測定物の傾斜角度を測定する傾斜計（１），（２），（１０），（１３）であって、
水平面で直交する二次元の座標軸（Ｘ），（Ｙ）に重力方向の座標軸（Ｚ）を加えた三次元の空間において、
第１の垂直面に含まれる二次元の座標軸（Ｘ），（Ｚ）を基軸と定めた傾斜（α）方向を計測可能な第１の配置（ｘｚ）と、
前記第１の垂直面と直交する第２の垂直面に含まれる二次元の座標軸（Ｙ），（Ｚ）を基軸と定めた傾斜（β）方向を計測可能な第２の配置（ｙｚ）と、を安定させる安定化手段を備えたことを特徴とする傾斜計。
【請求項２】
前記安定化手段として、
本体を直方体に構成したことを特徴とする請求項１に記載の傾斜計。
【請求項３】
前記安定化手段として、
前記第１の配置（ｘｚ）に係る第１の傾斜計（１）の一面（３５）と、
前記第２の配置（ｙｚ）に係る第２の傾斜計（２）の一面（３６）と、を対面させて連結状態を維持する連結手段を備えたことを特徴とする請求項２に記載の傾斜計。
【請求項４】
前記連結手段として、
かぎ形断面の第１の凸条（３１）と、
前記第１の凸条（３１）に関連して形成される第１の溝（３２）と、
前記第１の凸条（３１）または前記第１の溝（３２）に嵌着自在の第２の溝（３３）または第２の凸条（３４）と、を備えたことを特徴とする請求項３に記載の傾斜計。
【請求項５】
前記安定化手段として、
前記直方体でなる前記傾斜計（１３）の各稜線の近傍で各稜線に沿う方向に刻設された溝（１６），（１９），（２０），（２２）と、
前記溝（１６），（１９），（２０），（２２）に嵌入可能なツメ（１７）と、
前記ツメ（１７）を介して前記傾斜計（１３）を前記被測定物に固定する固定手段（１８）と、を備えたことを特徴とする請求項２ないし請求項４の何れか１項に記載の傾斜計。
【発明の詳細な説明】
【０００１】
【発明の属する技術分野】
本発明は、重力方向または水平面に対する傾斜角度を計測する傾斜計であって、例えば、梯子車、高所作業車、特に大型クレーン車が吊り上げ作業中に車体を転覆させずに維持する限界傾斜監視用のモーメントリミッタ、自動車のトー角およびキャンバー角を計測するアライメントテスタ等の用途に好適な傾斜計に関する。
【０００２】
【従来の技術】
この種の傾斜計を応用した技術として、特許文献１に開示された、複数の傾斜計を建設重機に配設し、土木作業の対象面の仕上り傾斜角度を監視する「法面施工機およびその法面施工機のバケット角度検出装置」がある。この特許文献１の［００２７］には、「本体に取り付けられて車体の前後方向の傾斜を検出する（前後方向）傾斜計」とあるが、この特許文献１に限らず、例えば、大型クレーン車が吊り上げ作業中に車体を転覆させずに維持する限界傾斜監視用のモーメントリミッタの場合は、「本体に取り付けられて車体の横方向の傾斜を検出する（横方向）傾斜計」が一般的である。
【０００３】
図３は従来の傾斜計の外観を示す斜視図、および傾斜計の基軸となる三次元の座標軸Ｘ，Ｙ，Ｚであり、同図（ａ）はスポーツ競技の表彰台を小さくしたような凸型の傾斜計、同図（ｂ）は円筒型の傾斜計である。そして、αは二次元の座標軸Ｘ，Ｚを基軸と定めた傾斜角度（以下、「縦傾斜」ともいう）、または、その際の傾斜計の錘Ｐが揺動する方向であり、βは二次元の座標軸Ｙ，Ｚを基軸と定めた傾斜角度（以下、「横傾斜」ともいう）、または、その際の傾斜計の錘Ｐが揺動する方向を示している。ただし、図３（ａ）における傾斜計４０は、β方向の傾斜を測定できない。
【０００４】
図３（ａ）において、凸型の傾斜計４０の内部に配設された錘Ｐが重力方向を指して下向きに静止している。ここで、図示せぬ被測定物が傾斜することにより、被測定物と一体的に傾斜計４０の本体も傾斜するが、傾斜計４０を静止物体と仮定して図示すれば、相対的には前記錘Ｐが、傾斜計４０の内部で振り子のように揺動するものとして簡略な模式図に描写しながら説明できる。
【０００５】
なお、以下の全図に亘り、各傾斜計の外面にはαまたはβの符号を付けた扇形を表示して、各傾斜計が、それぞれα方向とβ方向の傾斜角を計測する想定における説明の便宜を図っている。ここにいうα，βは錘Ｐまたは傾斜計が扇形の角度範囲を目安として傾斜する方向を示す符号であり、α，βで示す扇形は傾斜計の動作を説明する便宜上の象徴であり、実際の傾斜計の内部構造を投影した設計図ではない。従って、α，βは傾斜方向のみを示しており、傾斜角度は特定していない。
【０００６】
そして、傾斜角の表示に関して、より一般化した説明をするために、全図に示した傾斜計の基軸となる三次元の座標軸Ｘ，Ｙ，Ｚに当て嵌めた説明によれば、傾斜計４０の計測可能な角度αは、座標軸Ｚと座標軸Ｘを含む第１の垂直面に沿った角度αであり、原点Ｏから垂らした錘Ｐが座標軸Ｚから座標軸Ｘに向かって何度傾いたかを計測する。
【０００７】
ここで、以後の説明のため、傾斜計４０の配置を一般化し、第１の垂直面に含まれる二次元の座標軸Ｘ，Ｚを基軸と定めた傾斜α方向を計測可能な第１の配置ｘｚとも呼称する。傾斜計４０の計測可能な角度αは、垂らした錘Ｐが座標軸Ｚから座標軸Ｘに向かって何度傾いたかを計測して信号を出力する。
【０００８】
同様に、傾斜計４０の計測可能な角度βは、第２の垂直面に含まれる二次元の座標軸Ｙ，Ｚを基軸と定めた傾斜β方向に沿った角度βであり、垂らした錘Ｐが座標軸Ｚから座標軸Ｙに向かって何度傾いたかを計測して信号を出力する。ここにいう、計測可能な角度α，βは動作を説明する便宜上の象徴として前述した扇形α，βと一致している。
【０００９】
なお、傾斜計４０には扇形αのみならず、９０度異なる外面に扇形βも表示しているが、実際の傾斜計４０は計測方向が単一であるため、β方向の傾斜角まで計測することはできない。従って、β方向の傾斜角まで計測する必要に応じるとすれば、傾斜計４０を９０度ひねった方向の配置（後述する第２の配置ｙｚ）に設定し直すか、または別途に追加した傾斜計４０を配設することになる。
【００１０】
傾斜計４０には、凸型の天面に、電源および信号等の入出力端子４２が植設され、傾斜計４０に駆動電源を付与し、計測結果の電気信号を出力している。また、つば状に両翼を広げた基台部分には取付ネジ穴４１が穿設されており、図示せぬ被測定物に固定する固定手段を構成している。
【００１１】
同様に図３（ｂ）に示す円筒型の傾斜計５０は、円筒型の天面に、入出力端子４２が植設されており、入出力端子４２から離れた位置に取付ネジ穴５１が穿設されて固定手段を構成している。
そして、計測方向がα方向である傾斜計５０には扇形αのみを表示し、α方向専用の傾斜計を構成しているので、β方向の傾斜角まで計測することはできない。従って、β方向の傾斜角まで計測する必要に応じるとすれば、傾斜計４０を９０度ひねった第２の配置に設定し直すか、または別途に追加した１個を配設することになる。
【００１２】
このように、傾斜計４０または傾斜計５０により、β方向の傾斜角を計測する場合は、傾斜計４０または傾斜計５０を座標軸Ｚを回転軸にして９０度ひねってから図示せぬ被測定物に固定する必要があり、第１の配置ｘｚから第２の配置ｙｚになるように９０度ひねりを付与できる固定手段として、例えば取付金具等を２種類用意するか、または９０度異なる二方向の両方に取り付け可能な兼用型または汎用型の取付金具等を用意する必要がある。
【００１３】
なお、周知の傾斜計は被測定物が１つの垂直面に沿って回転する回転角度を計測可能とする角度センサであり、角度センサ自体の内部構成に関して周知なので、更なる説明は省略する。この角度センサが０度を表示するオフセット（規準）方向を、重心方向と一致させて用いるようにしたものが傾斜計である。このように角度センサを構成要素とする傾斜計が計測可能とする垂直面を、用途に応じて例えば、第１の垂直面または第２の垂直面に沿った設定にする。
このように、傾斜計は、用途に応じて的確な垂直面または水平面に沿った方向に取り付けて計測する目的を達成する。
【００１４】
【特許文献１】
特開平８−２３２２９２号公報  ［００２７］
【００１５】
【発明が解決しようとする課題】
しかし、傾斜計を構成する角度センサ自体は、ほぼ同一の内部構造であるにもかかわらず、計測する目的に沿って、被測定物に対する傾斜計の取り付け方向に応じた取付金具等の固定手段、または傾斜計の種類を増やすことはコストアップにつながる。
【００１６】
そこで、重力方向を座標軸Ｚとする三次元の座標軸Ｘ，Ｙ，Ｚの何れか二つの座標軸、すなわち座標軸Ｘ，Ｚを基軸と定めた第１の配置ｘｚに係る傾斜計と、座標軸Ｙ，Ｚを基軸と定めた第２の配置ｙｚに係る傾斜計の２種類を、１種類に共通化することで、例えば、製造時には金型数が削減され、製造販売後には補修部品の種類数まで削減できるので、あらゆる面でのコストダウンが可能となる。
【００１７】
本発明は、縦または横の何れの方向にもすわり良く安定させる安定化手段、または固定可能にする汎用的な固定手段を備えて取付角度の自由度を高め、１種類で他用途に兼用できるように製品の共通化を図り、コストダウンを可能にした傾斜計を提供することを目的としている。
【００１８】
【課題を解決するための手段】
前記目的を達成するために、請求項１に係る発明は、被測定物に取り付けられて当該被測定物の傾斜角度を測定する傾斜計（１），（２），（１０），（１３）であって、水平面で直交する二次元の座標軸（Ｘ），（Ｙ）に重力方向の座標軸（Ｚ）を加えた三次元の空間において、第１の垂直面に含まれる二次元の座標軸（Ｘ），（Ｚ）を基軸と定めた傾斜（α）方向を計測可能な第１の配置（ｘｚ）と、前記第１の垂直面と直交する第２の垂直面に含まれる二次元の座標軸（Ｙ），（Ｚ）を基軸と定めた傾斜（β）方向を計測可能な第２の配置（ｙｚ）と、を安定させる安定化手段を備えたことを特徴とする傾斜計である。
【００１９】
請求項１に係る発明によれば、前記第１の配置（ｘｚ）と前記第２の配置（ｙｚ）との、それぞれに適応する安定化手段が概ね２種類必要であったところを、前記第１の配置（ｘｚ）および前記第２の配置（ｙｚ）の配置を、すわりがよくなるように安定させる安定化手段により、前記傾斜計（１０），（１３），（１），（２）を、被測定物に対して安定させるので、前記第１の配置（ｘｚ）と、前記第２の配置（ｙｚ）の両方の用途に適応する汎用的な１種類の傾斜計およびその安定化手段によって兼用できる。
【００２０】
従って、縦の傾斜（α）方向と、横の傾斜（β）方向を計測するのに、１種類の傾斜計およびその安定化手段で足りる。
このように、２種類必要であった傾斜計およびその安定化手段を、１種類に共通化することで、例えば、製造時には金型数が削減され、製造販売後には補修部品の種類数まで削減できるので、あらゆる面でのコストダウンが可能となる。
【００２１】
請求項２に係る発明は、前記安定化手段として、本体を直方体に構成したことを特徴とする請求項１に記載の傾斜計である。
このようにしたので、直方体の任意の面を利用して、被測定物の計測方向に応じた適切な角度で傾斜計を安定化できる。また、直方体の特質上、固定姿勢を正確かつ容易に９０度ずつ変化させられる。
【００２２】
請求項３に係る発明は、前記安定化手段として、前記第１の配置（ｘｚ）に係る第１の傾斜計（１）の一面（３５）と、前記第２の配置（ｙｚ）に係る第２の傾斜計（２）の一面（３６）と、を対面させて連結状態を維持する連結手段を備えたことを特徴とする請求項２に記載の傾斜計である。このようにしたので、直方体の任意の面を利用して、複数の傾斜計どうしをブロック連結できる。
【００２３】
請求項４に係る発明は、前記連結手段として、かぎ形断面の第１の凸条（３１）と、前記第１の凸条（３１）に関連して形成される第１の溝（３２）と、前記第１の凸条（３１）または前記第１の溝（３２）に嵌着自在の第２の溝（３３）または第２の凸条（３４）と、を備えたことを特徴とする請求項３に記載の傾斜計である。このようにしたので、複数の傾斜計どうしを確実かつ容易にブロック連結できる。
【００２４】
請求項５に係る発明は、前記安定化手段として、前記直方体でなる前記傾斜計（１３）の各稜線の近傍で各稜線に沿う方向に刻設された溝（１６），（１９），（２０），（２２）と、前記溝（１６），（１９），（２０），（２２）に嵌入可能なツメ（１７）と、前記ツメ（１７）を介して前記傾斜計（１３）を前記被測定物に固定する固定手段（１８）と、を備えたことを特徴とする請求項２ないし請求項４の何れか１項に記載の傾斜計である。
このようにしたので、直方体の任意の面を利用して、被測定物の計測方向に応じた適切な角度で傾斜計を安定化できる。また、直方体の特質上、固定姿勢を正確かつ容易に９０度ずつ変化させて固定できる。
【００２５】
【発明の実施の形態】
以下、図面に沿って、本発明による一実施形態について説明する。
図１は、本発明の実施の一形態を示す傾斜計の斜視図、および傾斜計の基軸となる三次元の座標軸Ｘ，Ｙ，Ｚであり、（ａ）は直方体のり付けタイプの傾斜計、（ｂ）は固定溝付タイプの傾斜計である。
なお、図３により既に説明した箇所については、同一の符号を付けて、説明の重複を避ける。
【００２６】
図１（ａ）において、直方体の傾斜計１０の外形をなす面７，８，９，１１，１２は平坦面であるので、被測定物に平坦面があれば、それら平坦面どうしで、例えば接着剤でのり付けする等の固定手段により、配置角度の正確さを容易に実現できる。
このことが、請求項１にいう「前記第１の配置（ｘｚ）および前記第２の配置（ｙｚ）の配置を安定させる安定化手段」、請求項２にいう「前記安定化手段として、本体を直方体に構成した」を意味する。
【００２７】
すなわち、直方体の特質を生かして、三次元の座標軸Ｘ，Ｙ，Ｚで規定された角度にオフセット基軸を揃えられるように、直角方向のひねりを加えて固定する場合にも、図示せぬ１〜６の目が出せる立方体のサイコロのように均等な６面ではないが、サイコロの出目を指定する要領で直方体の傾斜計１０を、三次元の座標軸Ｘ，Ｙ，Ｚの適宜方向に転がして姿勢を定めてから固定することにより、配置角度の正確さを容易に実現できる。
【００２８】
図１（ｂ）において、固定溝付タイプの傾斜計１３の外形をなす面１４，１５は平坦面であるが、面１４，１５のうち傾斜計１３の天面または底面に近い箇所に、長手方向を水平に伸ばした溝１６，１９，２０が刻設されている。
そして、被測定物に平坦面がある場合には、例えば、溝１６にツメ１７を嵌挿し、ツメ１７に穿設されているネジ穴にネジ１８を螺着して傾斜計１３を被測定物に固定することにより、配置角度の正確さを容易に実現できる。
【００２９】
また、面１４と面１５との境界部にある稜線２１の近傍には稜線２１に沿ってツメ１７を嵌挿可能な溝２２が刻設されている。そして、溝２２にツメ１７を嵌挿し、ツメ１７に穿設されているネジ穴にネジ１８を螺着して傾斜計１３を被測定物に固定することにより、図１（ｂ）に示す傾斜計１３を、立ち姿勢から倒して寝かせた姿勢で被測定物に固定できる。しかも、２本の稜線２１が被測定物の平坦面に密着することにより、配置角度の正確さを容易に実現できる。
【００３０】
図１（ｂ）に示した直方体の傾斜計１３のように、縦横の何れの方向にも固定可能な万能型の固定手段である溝１６，１９，２０，２２とツメ１７および取付ネジ１８の組み合わせにより傾斜計１３の取付角度の自由度を高め、１種類で縦傾斜αと横傾斜βなどの多用途に融通できるように製品の共通化を図り、コストダウンを可能にする。
【００３１】
なお、ここにいう「溝１６，１９，２０，２２」が、請求項５にいう、「各稜線に沿う方向に刻設された溝（１６），（１９），（２０），（２２）」のことを意味している。
同様に、「溝２２にツメ１７を嵌挿し、ツメ１７に穿設されているネジ穴にネジ１８を螺着して傾斜計１３を被測定物に固定する」とあるのが、請求項５にいう「前記溝（１６），（１９），（２０），（２２）に嵌入可能なツメ（１７）と、前記ツメ（１７）を介して前記傾斜計（１３）を前記被測定物に固定する固定手段（１８）」のことを意味している。
【００３２】
また、特に符号は付けていないが、溝１６，１９，２０と同様の溝が、図１（ｂ）の死角等に存在するので、傾斜計１３の姿勢は６面の向きを任意に選択して被測定物に固定できる。従って、傾斜計１３を、三次元の座標軸Ｘ，Ｙ，Ｚの適宜方向に、サイコロの出目を指定する要領で転がして姿勢を定めてから固定することにより配置角度の正確さを容易に実現できる。
【００３３】
図２は、かぎ形断面の凸条および溝を備えた（面合体タイプの）傾斜計による実施形態を示す斜視図、および傾斜計の基軸となる三次元の座標軸Ｘ，Ｙ，Ｚであり、（ａ）は傾斜計の単体、（ｂ）はα，β両方向の計測用に２個の傾斜計を合体した状態である。
【００３４】
すなわち、請求項３にいう「前記安定化手段として、前記第１の配置（ｘｚ）に係る第１の直方体（１）の一面（３５）と、前記第２の配置（ｙｚ）に係る第２の直方体（２）の一面（３６）と、を対面させて連結状態を維持する連結手段」に関し、図２により具体的に開示している。
【００３５】
なお、図２に示した傾斜計１と傾斜計２は、それぞれの面３５，３６の配置を逆のものとした点で、特殊な実施形態を紹介したものであるが、本発明の技術思想により、全く同一形状の２個を用意すれば足りる。
【００３６】
図２において、傾斜計１，２の天面または底面側から見た角部には、面と面との境界部にある稜線に沿って、かぎ形断面の凸条３１、凸条３１のかぎ形の内側が構成する溝３２、凸条３１のかぎ形の外側背部の延長として刻設された溝３３と、溝３３を挟んで凸設された凸条３４が配設されている。
【００３７】
傾斜計１に配設された、これらの凸条３４および溝３３のそれぞれが、別の傾斜計２の稜線に沿って配設された凸条３１および溝３２に嵌着され、傾斜計１と傾斜計２を連結することにより、図２（ｂ）に示すようにα，β両方向を同時に計測可能とするような配置で２個の傾斜計１，２を合体できる。
【００３８】
このように、傾斜計１によりα方向の傾斜角を計測し、傾斜計２によりβ方向の傾斜角を計測する組み合わせである。すなわち、傾斜計１が、座標軸Ｚを回転軸にして９０度ひねられた配置の傾斜計２とし、それぞれの面どうしで連結した関係である。
【００３９】
なお、ここにいう「かぎ形断面の凸条３１、凸条３１のかぎ形の内側が構成する溝３２、凸条３１のかぎ形の外側背部の延長として刻設された溝３３と、溝３３を挟んで凸設された凸条３４」とあるのが、請求項４にいう「かぎ形断面の第１の凸条（３１）と、前記第１の凸条（３１）に関連して形成される第１の溝（３２）と、前記第１の凸条（３１）または前記第１の溝（３２）に嵌着自在の第２の溝（３３）または第２の凸条（３４）」を意味する。
【００４０】
そして、座標軸Ｘ，Ｚを基軸と定めた傾斜計と、座標軸Ｙ，Ｚを基軸と定めた傾斜計（図示せず）の２種類を、１種類に共通化することで、例えば、製造時には金型数が削減され、製造販売後には補修部品の種類数まで削減できるので、あらゆる面でのコストダウンが可能となる。
【００４１】
請求項２にいう「外形を直方体に構成した」とは図１〜２に示した傾斜計１，２，１０，１３である。このようにしたので、直方体の任意の面、すなわち面７，８，９，１１，１２，１４，１５，３５，３６，３７を利用して、被測定物の計測方向に応じた適切な角度で傾斜計計１，２，１０，１３を配置し固定できる。
また、直方体の特質上、サイコロが何れかの目を出して静止できるように、姿勢を正確かつ容易に９０度だけ変化させても安定させられる。
【００４２】
【発明の効果】
以上説明したように、請求項１に係る発明によれば、縦の傾斜（α）方向と、横の傾斜（β）方向を計測するのに、１種類の傾斜計およびその安定化手段で足りる。すなわち、２種類必要であった傾斜計およびその安定化手段を、１種類に共通化することで、例えば、製造時には金型数が削減され、製造販売後には補修部品の種類数まで削減できるので、あらゆる面でのコストダウンが可能となる。
【００４３】
請求項２に係る発明によれば、直方体の任意の面を利用して、被測定物の計測方向に応じた適切な角度で傾斜計を安定化できる。また、直方体の特質上、固定姿勢を正確かつ容易に９０度ずつ変化させられる。
【００４４】
請求項３に係る発明によれば、複数の傾斜計どうしをブロック連結できる。
【００４５】
請求項４に係る発明によれば、複数の傾斜計どうしを確実かつ容易にブロック連結できる。
【００４６】
請求項５に係る発明によれば、被測定物の計測方向に応じた適切な角度で傾斜計を安定化できる。また、直方体の特質上、固定姿勢を正確かつ容易に９０度ずつ変化させて固定できる。
【図面の簡単な説明】
【図１】本発明の実施の一形態を示す傾斜計の斜視図、および傾斜計の基軸となる三次元の座標軸Ｘ，Ｙ，Ｚであり、（ａ）は直方体のり付けタイプの傾斜計、（ｂ）は固定溝付タイプの傾斜計である。
【図２】かぎ形断面の凸条および溝を備えた（面合体タイプの）傾斜計による実施形態を示す斜視図、および傾斜計の基軸となる三次元の座標軸Ｘ，Ｙ，Ｚであり、（ａ）は傾斜計の単体、（ｂ）はα，β両方向の計測用に２個の傾斜計を合体した状態である。
【図３】従来の傾斜計の外観を示す斜視図、および傾斜計の基軸となる三次元の座標軸Ｘ，Ｙ，Ｚであり、（ａ）は凸型の傾斜計、（ｂ）は円筒型の傾斜計である。
【符号の説明】
１，２  （面合体タイプの）傾斜計
１０  （直方体のり付けタイプの）傾斜計
６，７，８，９，１１，１２，１４，１５，３５，３６，３７  （直方体の）面
１３  （固定溝付タイプの）傾斜計
１６，１９，２０  （取付用の）溝
１７  （取付用の）ツメ
１８  （取付）ネジ
２１，３１  凸条
２２，３２，３３  溝
３１  かぎ形断面の凸条
４０  凸型傾斜計
４１，５１  取付ネジ穴
４２  電源および信号等の入出力端子
５０  円筒型傾斜計
α  二次元の座標軸Ｘ，Ｚを基軸と定めた傾斜角度、または第１の配置による傾斜計の錘Ｐが揺動する方向
β  二次元の座標軸Ｙ，Ｚを基軸と定めた傾斜角度、または第２の配置による傾斜計の錘Ｐが揺動する方向
Ｘ，Ｙ，Ｚ  三次元の座標軸
ｘｚ  二次元の座標軸Ｘ，Ｚを基軸と定めた第１の配置
ｙｚ  二次元の座標軸Ｙ，Ｚを基軸と定めた第２の配置
【図１】
2004279383.tif 000003
【図２】
2004279383.tif 000004
【図３】
2004279383.tif 000005